(57)【要約】【課題】プロジェクターの投写レンズにおいて、ズーム調整を行う際の操作性を確保し、且つ、複雑な構造を設けることなく、レンズの光軸方向の位置ずれを抑制すること。【解決手段】プロジェクター１００の投写レンズ１には、フォーカスリング４とズームリング３の相対回転を規制する固定部材７が着脱可能に取り付けられる。固定部材７は、フォーカスリング４のローレット部４９と係合する第１係止部７１、および、ズームリング３の手動操作用の凸部３１と係合する第２係止部７２を備える。フォーカスリング４は傾斜角度の小さいヘリコイドねじによって固定筒２４に連結されるので、ズーム調整用のレンズおよびフォーカス調整用のレンズの自重程度ではフォーカスリング４は回転しない。従って、投写レンズ１が傾いた際にズームリング３の回転を規制でき、ズーム調整用のレンズの光軸方向の位置ずれを抑制できる。【選択図】図１
2019132940.tif 000002
【特許請求の範囲】
【請求項１】
カムピンを備えたレンズ枠に保持されるズームレンズと、
前記カムピンが配置されるカム溝が形成されたカム筒と、
前記カム筒を相対回転可能に保持する固定筒と、
前記固定筒に回転可能に連結されたフォーカスリング、および、前記フォーカスリングと一体に回転するレンズ枠に保持されるフォーカスレンズと、
前記カム筒と一体に回転するズームリングと、
前記フォーカスリングに設けられた第１係合部、および、前記ズームリングに設けられた第２係合部と着脱可能に係合して、前記フォーカスリングと前記ズームリングの相対回転を規制する固定部材と、を有することを特徴とする投写レンズ。
【請求項２】
前記第１係合部は、前記フォーカスリングの外周面に形成されたローレット部であり、
前記固定部材は、前記ローレット部の溝部に嵌まる第１係止部を備えることを特徴とする請求項１に記載の投写レンズ。
【請求項３】
前記固定部材は、前記フォーカスリングの径方向に弾性変形可能な腕部を備え、
前記第１係止部は、前記腕部に設けられていることを特徴とする請求項２に記載の投写レンズ。
【請求項４】
前記固定部材は、前記第２係合部と係合する第２係止部を備え、
前記腕部は、前記第２係止部から周方向の両側へ延びており、各腕部に前記第１係止部が形成されることを特徴とする請求項３に記載の投写レンズ。
【請求項５】
前記第２係合部は、前記ズームリングに形成された手動操作用の凸部であることを特徴とする請求項１から４の何れか一項に記載の投写レンズ。
【請求項６】
前記第２係合部は、前記ズームリングの径方向で反対側の２箇所に形成され、
前記固定部材は、前記２箇所に取り付けられることを特徴とする請求項１から５の何れか一項に記載の投写レンズ。
【請求項７】
前記固定部材は、前記第１係合部と前記第２係合部の少なくとも一方に対して、光軸方向に移動可能な状態で係合することを特徴とする請求項１から６の何れか一項に記載の投写レンズ。
【請求項８】
前記固定部材は、前記フォーカスリングの光軸方向の端部、もしくは、前記ズームリングの光軸方向の端部と係合する脱落防止部を備えることを特徴とする請求項１から７の何れか一項に記載の投写レンズ。
【請求項９】
前記フォーカスリングは、ヘリコイドねじによって前記固定筒に回転可能に連結されることを特徴とする請求項１から８の何れか一項に記載の投写レンズ。
【請求項１０】
請求項１から９のいずれか一項に記載の投写レンズと、
前記投写レンズが配置される投写用開口部を備えた外装筐体と、
前記外装筐体の内側に配置され、前記投写レンズに入射する画像光を生成する光変調合成光学系と、を備えることを特徴とするプロジェクター。
【発明の詳細な説明】
【技術分野】
【０００１】
本発明は、投写レンズおよびプロジェクターに関する。
【背景技術】
【０００２】
従来から、光源からの光を用いて生成した画像光を投写光学系によってスクリーンに拡大投写するプロジェクターが用いられている。この種のプロジェクターは、光源から入射した光を変調して画像光を生成する光変調装置と、光変調装置にて変調された光を投写する投写レンズとを備えている。特許文献１には、プロジェクター用の投写レンズであるレンズ装置が開示されている。
【０００３】
特許文献１のレンズ装置（投写レンズ）は、固定筒と、固定筒の内側に配置されるカム筒と、固定筒の先端にヘリコイドねじによって連結されるフォーカスリングと、固定筒の外周側に取り付けられてカム筒と一体に回転するズームリングを備える。カム筒の内側に配置されるレンズ（ズームレンズ）を保持するレンズ枠にはカムピンが形成され、カムピンは、カム筒に形成されたカム溝と固定筒の直進溝に通されている。ズームリングを手動で回転させると、カムピンはカム溝と直進溝との交点の軌跡上を移動するので、レンズ枠に保持されるレンズが光軸方向へ移動して、ズーム調整が行われる。フォーカスリングを手動で回転させると、ヘリコイドねじの作用によってフォーカスレンズが光軸方向に移動して、フォーカス調整が行われる。
【先行技術文献】
【特許文献】
【０００４】
【特許文献１】特開２００２−１０７６１１号公報
【発明の概要】
【発明が解決しようとする課題】
【０００５】
特許文献１のような構造の投写レンズにおいて、ズームリングおよびカム筒を回転させるための回転トルクが小さい場合に、投写レンズの光軸が水平方向に対して傾くと、レンズ（ズームレンズ）の自重によってカム溝内でカムピンが滑り、カム筒およびズームリングが回転してレンズの光軸方向の位置がずれるおそれがある。従って、ズーム調整を行っていても、その後にプロジェクターを傾けて設置すると、レンズの自重によってレンズの光軸方向の位置がずれてしまい、投影される映像がずれるという問題がある。
【０００６】
レンズの自重によるカム筒およびズームリングの回転を防止するための対策としては、カム筒およびズームリングの回転トルクを大きくすることが考えられる。しかしながら、回転トルクを大きくすると、ズーム調整を行う際の操作性が低下するという問題がある。また、締め付けリングやねじによってズームリングを固定筒に締め付けて固定する機構を設けることもできるが、固定を行う際に投写レンズをプロジェクターから取り外さなければならない。従って、締め付けリングやねじ固定の機構に加えて、投写レンズを投写用開口部から着脱する機構が必要となるので、構造が複雑化するという問題がある。
【０００７】
本発明の課題は、このような点に鑑みて、ズーム調整を行う際の操作性を確保し、且つ、複雑な構造を設けることなく、レンズの光軸方向の位置のずれを抑制することにある。
【課題を解決するための手段】
【０００８】
上記の課題を解決するために、本発明の投写レンズは、カムピンを備えたレンズ枠に保持されるズームレンズと、前記カムピンが配置されるカム溝が形成されたカム筒と、前記カム筒を相対回転可能に保持する固定筒と、前記固定筒に回転可能に連結されたフォーカスリング、および、前記フォーカスリングと一体に回転するレンズ枠に保持されるフォーカスレンズと、前記カム筒と一体に回転するズームリングと、前記フォーカスリングに設けられた第１係合部、および、前記ズームリングに設けられた第２係合部と着脱可能に係合して、前記フォーカスリングと前記ズームリングの相対回転を規制する固定部材と、を有することを特徴とする。
【０００９】
本発明によれば、フォーカスリングとズームリングに固定部材を着脱可能に係合させて、固定部材によってフォーカスリングとズームリングの相対回転を規制することができる。これにより、フォーカスリングが回転しなければズームリングは回転できない状態を形成できるので、ズームリングの回転トルクを大きくすることなく、ズームレンズの自重によってズームリングが回転することを規制できる。よって、ズームリングの操作性を確保でき、且つ、ズームリングの締め付けのための複雑な機構を設けることもない構成でありながら、ズームレンズの光軸方向の位置のずれを抑制することができる。また、固定部材は着脱可能であるため、必要に応じて固定部材を取り外すことによって、簡単にズーム調整およびフォーカス調整を行うことができる。
【００１０】
本発明において、前記第１係合部は、前記フォーカスリングの外周面に形成されたローレット部であり、前記固定部材は、前記ローレット部の溝部に嵌まる第１係止部を備えることが好ましい。このようにすると、フォーカスリングを手動で回転させるための滑り止め用のローレット部を利用して、固定部材をフォーカスリングに係合させることができる。従って、フォーカスリングに新たな構造を設ける必要がない。
【００１１】
本発明において、前記固定部材は、前記フォーカスリングの径方向に弾性変形可能な腕部を備え、前記第１係止部は、前記腕部に設けられていることが好ましい。このようにすると、腕部にばね性を持たせることができ、腕部の弾性変形によって、第１係止部にローレット部の凸部を乗り越えさせることができる。従って、固定部材を取り付けた状態でフォーカスリングを強制的に回転させてフォーカス調整を行うことが可能である。
【００１２】
本発明において、前記固定部材は、前記第２係合部と係合する第２係止部を備え、前記腕部は、前記第２係止部から周方向の両側へ延びており、各腕部に前記第１係止部が形成されることが好ましい。このようにすると、固定部材の周方向の中央でズームリングを係止し、且つ、固定部材の周方向の両端でフォーカスリングを係止するので、固定部材をバランスの良い姿勢で取り付けることができ、固定部材を外れにくくすることができる。
【００１３】
本発明において、前記第２係合部は、前記ズームリングに形成された手動操作用の凸部であることが好ましい。このようにすると、既存の凸部を利用して固定部材をズームリングに係合させることができる。従って、ズームリングに新たな構造を設ける必要がない。
【００１４】
本発明において、前記第２係合部は、前記ズームリングの径方向で反対側の２箇所に形成され、前記固定部材は、前記２箇所に取り付けられることが好ましい。このようにすると、複数の固定部材をバランス良く取り付けることができる。
【００１５】
本発明において、前記固定部材は、前記第１係合部と前記第２係合部の少なくとも一方に対して、光軸方向に移動可能な状態で係合することが好ましい。このようにすると、固定部材を取り付けた状態でも、フォーカスリングとズームリングの光軸方向の相対移動を自由に行うことができる。
【００１６】
本発明において、前記固定部材は、前記フォーカスリングの光軸方向の端部、もしくは、前記ズームリングの光軸方向の端部と係合する脱落防止部を備えることが好ましい。このようにすると、固定部材の脱落を抑制することができる。
【００１７】
本発明において、前記フォーカスリングは、ヘリコイドねじによって前記固定筒に回転可能に連結されることが好ましい。このようにすると、投写レンズが傾いてフォーカスリングにフォーカスレンズとズームレンズの自重が加わったとしても、このような荷重程度ではヘリコイドねじが滑らないので、フォーカスリングが回転することはない。従って、投写レンズが傾いたときにズームリングが回転しないようにすることができる。
【００１８】
次に、本発明のプロジェクターは、上記の投写レンズと、前記投写レンズが配置される投写用開口部を備えた外装筐体と、前記外装筐体の内側に配置され、前記投写レンズに入射する画像光を生成する光変調合成光学系と、を備えることを特徴とする。
【図面の簡単な説明】
【００１９】
【図１】本発明を適用した投写レンズの外観斜視図である。
【図２】図１の投写レンズを備えたプロジェクターの部分拡大図である。
【図３】図１の投写レンズを備えたプロジェクターの部分拡大図であり、固定部材を取り付けていない状態を示す。
【図４】図１の投写レンズの断面図である。
【図５】レンズ鏡筒およびレンズ群の一部を示す断面図である。
【図６】固定部材の斜視図である。
【図７】固定部材の斜視図である。
【図８】フォーカスリングとズームリングを固定部材によって連結した状態を光軸方向後側から見た斜視図である。
【図９】フォーカスリングとズームリングを固定部材によって連結した状態を光軸方向前側から見た斜視図である。
【図１０】フォーカスリングとズームリングを固定部材によって連結した状態を示す側面図である。
【発明を実施するための形態】
【００２０】
以下に、図面を参照して、本発明を適用した投写レンズ１およびプロジェクター１００の実施形態を説明する。
【００２１】
（プロジェクター）
図１は本発明を適用した投写レンズ１の外観斜視図である。また、図２、図３は図１の投写レンズ１を備えたプロジェクター１００の部分拡大図であり、図２は固定部材７が取り付けられた状態を示し、図３は固定部材７を取り外した状態を示す。本明細書において、投写レンズ１の光軸方向をＬとし、光軸方向Ｌの一方側と他方側のうち、投写レンズ１から光が出射する側を光軸方向前側Ｌ１とし、投写レンズ１へ光が入射する側を光軸方向後側Ｌ２とする。図２、図３に示すように、プロジェクター１００の外装筐体１０１は、前面部１０２に投写用開口部１０３が設けられている。投写レンズ１は、光軸方向前側Ｌ１の端部が投写用開口部１０３から外装筐体１０１の外部へ突出するように配置される。プロジェクター１００は、光源と、光源から入射する光を変調して画像光を生成する光変調合成光学系と、冷却装置と、電源装置および制御部を備える（図示省略）。投写レンズ１は、光変調合成光学系から入射する画像光を拡大投写する。
【００２２】
（投写レンズ）
図４は図１の投写レンズ１の断面図である。図１、図４に示すように、投写レンズ１は、レンズ鏡筒２と、レンズ鏡筒２の光軸方向前側Ｌ１の端部に配置されるズームリング３およびフォーカスリング４と、レンズ群５を備える。レンズ鏡筒２の光軸方向Ｌの中央付近には、光軸方向Ｌから見て略矩形のフランジ６が形成されている。投写レンズ１は、フランジ６を介して外装筐体１０１の内部に設けられる支持部材に固定される。レンズ群５は、フォーカスリング４と一体に回転する第１レンズ群５１と、レンズ鏡筒２の内側に保持される第２レンズ群５２〜第７レンズ群５７を備える。なお、本明細書において、「レンズ群」は複数のレンズで構成されるものに限定されず、単一のレンズで構成されるものでも良い。第１レンズ群５１〜第７レンズ群５７は、それぞれ、第１レンズ枠６１〜第７レンズ枠６７によって保持される。
【００２３】
図４に示すように、フォーカスリング４は、フォーカス調整を行うためのフォーカスレンズである第１レンズ群５１を保持する第１レンズ枠６１の光軸方向前側Ｌ１の端部に固定される。第１レンズ枠６１の光軸方向後側Ｌ２の部分は、前側筒２１の内周側に挿入され、前側筒２１に固定されている。前側筒２１の光軸方向後側Ｌ２の端部の外周面には、ヘリコイドねじを構成する多条のねじ山部２２が形成されている。
【００２４】
図５はレンズ鏡筒２およびレンズ群５の一部を示す断面図である。レンズ鏡筒２は、前側筒２１のねじ山部２２と螺合する多条のねじ溝部２３が形成された固定筒２４と、固定筒２４の内側に配置されるカム筒２５を備える。固定筒２４には、ねじ山部２２およびねじ溝部２３によって構成されるヘリコイドねじを介して、前側筒２１、第１レンズ枠６１、およびフォーカスリング４が回転可能に連結されている。フォーカスリング４の外周面には、滑り止め用のローレット部４９が形成されている。フォーカス調整を行う時は、ローレット部４９に指を掛けて固定筒２４に対してフォーカスリング４を相対回転させる。これにより、フォーカスリング４、第１レンズ枠６１、前側筒２１が一体となって回転し、ヘリコイドねじの作用により、固定筒２４に対して前側筒２１が光軸方向Ｌに相対移動する。従って、第１レンズ枠６１に保持された第１レンズ群５１が光軸方向Ｌに移動して、フォーカス調整が行われる。
【００２５】
固定筒２４は、カム筒２５を相対回転可能に保持する大径筒部２４１と、大径筒部２４１の光軸方向後側Ｌ２の端部に形成された小径筒部２４２を備える。小径筒部２４２には、第７レンズ群５７を保持する第７レンズ枠６７が固定される。図４に示すように、第２レンズ群５２〜第６レンズ群５６は、カム筒２５の内側に保持される。第２レンズ群５２〜第６レンズ群５６はズームレンズであり、光軸方向Ｌに移動可能に保持される。図５に示すように、カム筒２５には、第２レンズ群５２〜第６レンズ群５６を光軸方向Ｌに移動させるためのカム溝２５１〜２５５が形成されている。カム溝２５１〜２５５は螺旋溝であり、その傾斜角度は個別に設定される。また、固定筒２４には、カム溝２５１〜２５５と交差する位置で光軸方向Ｌに延在する直進溝２４３が形成されている。第２レンズ枠６２、第３レンズ枠６３、第４レンズ枠６４、第５レンズ枠６５、および第６レンズ枠６６には、それぞれ、径方向外側へ突出するカムピン６２１、６３１、６４１、６５１、６６１が取り付けられている。カムピン６２１、６３１、６４１、６５１、６６１は、カム溝２５１〜２５５に配置され、カム溝２５１〜２５５を通って直進溝２４３の内側まで延びている。
【００２６】
レンズ鏡筒２には、５本のカム溝２５１〜２５５および直進溝２４３の組が周方向で等間隔となる３箇所に形成されている。また、カムピン６２１、６３１、６４１、６５１、６６１は、第２レンズ枠６２〜第６レンズ枠６６のそれぞれにおいて、周方向で等間隔となる３箇所に取り付けられている。図１に示すように、直進溝２４３は、固定筒２４の外周面から突出するフランジ６よりも光軸方向前側Ｌ１で固定筒２４を貫通する第１貫通部２４４、および、フランジ６よりも光軸方向後側Ｌ２で固定筒２４を貫通する第２貫通部２４５を備えている。直進溝２４３は、第１貫通部２４４と第２貫通部２４５の間では、固定筒２４を貫通しない凹溝となっている。
【００２７】
カム筒２５は、フォーカスリング４の光軸方向後側Ｌ２に配置されるズームリング３に連結され、ズームリング３と一体に回転する。本形態では、固定筒２４の外周側に筒状部材２６（図４参照）が取り付けられ、この筒状部材２６を介してズームリング３の回転がカム筒２５に伝達される。ズーム調整を行うには、ズームリング３を手動で回転させ、ズームリング３と共にカム筒２５を固定筒２４に対して相対回転させる。図１〜図３に示すように、投写レンズ１は、ズームリング３の外周面から径方向外側に突出する手動操作用の凸部３１を備えている。ズーム調整を行う時には、凸部３１を把持してズームリング３を回転させる。また、ズームリング３の外周面には、凸部３１が形成された部分を除いて滑り止め用のローレット部３９が形成されている。従って、ローレット部３９に指を掛けてズームリング３を回転させることもできる。ズームリング３の回転により、固定筒２４に対してカム筒２５が相対回転すると、直進溝２４３とカム溝２５１〜２５５との交点の軌跡上をカムピン６２１〜６６１が移動するので、第２レンズ枠６２〜第６レンズ枠６６に保持される第２レンズ群５２〜第６レンズ群５６（ズームレンズ）が光軸方向Ｌに移動して、ズーム調整が行われる。
【００２８】
（固定部材）
図１、図２に示すように、投写レンズ１には、フォーカスリング４の外周側に固定部材７が着脱可能に取り付けられる。固定部材７は、ズームリング３の凸部３１およびフォーカスリング４のローレット部４９を利用して取り付けられる。フォーカスリング４のローレット部４９は、固定部材７が係合する第１係合部である。また、ズームリング３の凸部３１は、固定部材７が係合する第２係合部である。後述するように、固定部材７は、ローレット部４９（第１係合部）と係合する第１係止部７１、および、凸部３１（第２係合部）と係合する第２係止部７２を備える。
【００２９】
固定部材７は、ズームリング３とフォーカスリング４を連結する。固定部材７を取り付けると、ズームリング３とフォーカスリング４の相対回転が規制されるが、ズームリング３とフォーカスリング４の光軸方向Ｌの相対移動は規制されない。本形態では、凸部３１は、ズームリング３における径方向で反対側の２箇所に形成されている。従って、径方向で反対側の２箇所に固定部材７を取り付けて、ズームリング３とフォーカスリング４を連結することができる。
【００３０】
図３に示すように、凸部３１は、周方向に所定の幅を備えており、ズームリング３の径方向外側からフォーカスリング４の径方向外側の位置まで延びている。凸部３１は、周方向の一方側および他方側の側面を構成する側板部３２、３３と、側板部３２、３３の径方向外側の端部を接続する上板部３４と、側板部３２、３３の光軸方向後側Ｌ２の端部を接続する端板部３５を備える。上板部３４は周方向に円弧状に延在する。また、端板部３５は、光軸方向後側Ｌ２に向かうに従って径方向内側へ向かう方向に傾斜した傾斜面である。側板部３２、３３は、フォーカスリング４の径方向外側へ延びた部分の径方向内側が切り欠かれた形状となっており、フォーカスリング４の外周面との間には隙間が形成されている。凸部３１の内側には、側板部３２、３３および上板部３４によって囲まれる凹部３６が形成されている。
【００３１】
図６、図７は固定部材７の斜視図である。図６、図７に示す光軸方向前側Ｌ１と光軸方向後側Ｌ２は、固定部材７をズームリング３およびフォーカスリング４に取り付けた状態での方向を示す。固定部材７は、フォーカスリング４の外周面に沿う略円弧状の板状部７０を備える。板状部７０の周方向の両端には第１係止部７１が形成されている。図７に示すように、第１係止部７１は、板状部７０から径方向内側に突出するリブであり、光軸方向Ｌと平行に延在する。第１係止部７１は、先端部がローレット部４９の溝に嵌まるように尖った形状である。また、図６に示すように、板状部７０の周方向の略中央には、ズームリング３の凸部３１（第２係合部）と係合する第２係止部７２が形成されている。第２係止部７２は、板状部７０から径方向外側に突出する凸部であり、上述した凸部３１の内側空間である凹部３６に嵌まる形状である。第２係止部７２は、光軸方向後側Ｌ２の端部に、光軸方向後側Ｌ２へ向かうに従って径方向内側へ傾斜する面取り部７２１を備える。
【００３２】
板状部７０は、第２係止部７２が形成された中央部７０１と、中央部７０１から周方向の両側へ延びる腕部７０２を備える。第１係止部７１は、各腕部７０２の先端に形成されている。腕部７０２は、板状部７０に形成された切欠き７０３の部位で幅が細くなっており、板状部７０の板厚方向に弾性変形可能である。従って、板状部７０をフォーカスリング４の外周面に沿わせたとき、腕部７０２は、フォーカスリング４の径方向に弾性変形可能である。
【００３３】
板状部７０の光軸方向前側Ｌ１の縁には、径方向外側へ立ち上がる把持板部７３が形成されている。把持板部７３は固定部材７の周方向の中央部分に形成されており、第２係止部７２と繋がっている。切欠き７０３は、把持板部７３の周方向の両側で開口し、板状部７０の光軸方向Ｌの略中央で屈曲して、板状部７０の周方向の中央へ向かって延びている。固定部材７の光軸方向後側Ｌ２の縁には、径方向内側へ突出する板状の脱落防止部７４が形成されている。脱落防止部７４は、固定部材７の周方向の両端の２箇所に形成されており、第１係止部７１と繋がっている。
【００３４】
図８は、フォーカスリング４とズームリング３を固定部材７によって連結した状態を光軸方向後側Ｌ２から見た斜視図である。固定部材７を取り付ける際は、把持板部７３を指で持って、固定部材７の第２係止部７２をズームリング３の凹部３６へ光軸方向前側Ｌ１から挿入する。図８の矢印Ｆ１は、固定部材７の取付方向（第２係止部７２を凹部３６へ挿入する方向）である。第２係止部７２を凹部３６へ挿入する際、固定部材７の光軸方向後側Ｌ２の端部を径方向外側（図８の矢印Ｆ２方向）へ持ち上げて、固定部材７を傾けた姿勢で行う。これにより、脱落防止部７４がフォーカスリング４の外周面より外周側へ持ち上げられるので、固定部材７の取付け時に脱落防止部７４がフォーカスリング４の縁に引っ掛かることを回避することができる。ここで、第２係止部７２の光軸方向後側Ｌ２の端部には面取り部７２１が形成されているため、固定部材７の光軸方向後側Ｌ２の部分を径方向外側へ持ち上げた状態で、第２係止部７２を凹部３６へ挿入することができる。
【００３５】
図９は、フォーカスリング４とズームリング３を固定部材７によって連結した状態を光軸方向前側Ｌ１から見た斜視図である。固定部材７の第２係止部７２をズームリング３の凸部３１に形成された凹部３６へ挿入する際、固定部材７の周方向の両端では、第１係止部７１の先端がローレット部４９の溝部に嵌合する。これにより、固定部材７を介してフォーカスリング４とズームリング３とが連結され、フォーカスリング４とズームリング３の相対回転が規制される。また、この状態で、第１係止部７１はローレット部４９の溝部内で光軸方向Ｌに移動可能であり、第２係止部７２は凹部３６内で光軸方向Ｌに移動可能である。つまり、固定部材７は、フォーカスリング４とズームリング３の光軸方向Ｌの相対移動を規制しない構造となっている。
【００３６】
図１０は、フォーカスリング４とズームリング３を固定部材７によって連結した状態を示す側面図である。図８〜図１０に示すように、第２係止部７２を凹部３６へ挿入すると、脱落防止部７４はフォーカスリング４の光軸方向後側Ｌ２の端部に係合する。従って、固定部材７が光軸方向前側Ｌ１へ移動することが規制され、固定部材７のフォーカスリング４からの脱落が規制される。
【００３７】
（本形態の主な作用効果）
以上のように、本形態のプロジェクター１００は投写レンズ１を備えており、投写レンズ１には、フォーカスリング４とズームリング３の相対回転を規制する固定部材７が取り付けられ、フォーカスリング４が回転しなければズームリング３を回転させることができない状態を形成できる。従って、投写レンズ１のズーム調整を行った後に固定部材７を取り付けることにより、その後に水平方向に対して傾斜した方向に画像を投写するようにプロジェクター１００が設置されて投写レンズ１が傾いたとしても、フォーカスリング４によってズームリング３の回転を規制して、第２レンズ群５２〜第６レンズ群５６の光軸方向の位置がずれないようにすることができる。よって、投写レンズ１が傾けられたとしても、カム筒２５内に保持される第２レンズ群５２〜第６レンズ群５６の自重によるズームリング３の回転を規制して、投影される映像がずれないようにすることができる。
【００３８】
本形態では、フォーカスリング４は傾斜角度の小さいヘリコイドねじによって固定筒２４に連結されているので、フォーカスリング４に光軸方向Ｌの荷重が加わったとしても、フォーカスリング４は容易に回転しない。従って、固定部材７を取り付けることによって、フォーカスリング４とズームリング３とを連結して、第１レンズ群５１〜第６レンズ群５６の自重程度ではズームリング３が回転しないようにすることができる。このように、フォーカスリング４を利用してズームリング３の回転を規制する構造を採用すると、ズームリング３の回転トルクを変える必要がない。また、ズームリング３をねじ等で固定する機構や、投写レンズ１をプロジェクター１００の外装筐体１０１に着脱する機構を設ける必要もない。従って、ズーム調整を行う際の操作性を確保することができ、且つ、投写レンズ１およびプロジェクター１００の構造が複雑化することを回避できる。
【００３９】
本形態では、固定部材７はフォーカスリング４およびズームリング３に着脱可能であり、固定部材７を容易に取り外すことができる。従って、再度ズーム調整が必要になった場合には、容易にズーム調整が可能な状態を形成できる。また、固定部材７はフォーカスリング４とズームリング３の光軸方向Ｌの相対移動を規制しないので、フォーカスリング４とズームリング３の光軸方向Ｌの相対移動は自由に行うことができる。なお、本形態では、フォーカスリング４とズームリング３の両方に対して固定部材７が光軸方向Ｌに移動可能な状態を形成しているが、フォーカスリング４とズームリング３の少なくとも一方に対して、固定部材７が光軸方向Ｌに移動可能であればよい。
【００４０】
本形態では、固定部材７はフォーカスリング４に設けられた第１係合部であるローレット部４９、および、ズームリング３に設けられた第２係合部である手動操作用の凸部３１と着脱可能に係合する。従って、フォーカスリング４を手動で回転させるために従来から設けられている既存のローレット部４９を利用して、固定部材７をフォーカスリング４に係合させることができるので、フォーカスリング４に新たな係合部を設ける必要がない。また、手動操作用の既存の凸部３１を利用して固定部材７をズームリング３に係合させることができるので、ズームリング３に新たな係合部を設ける必要がない。よって、従来の投写レンズの構造を全く変えることなく、固定部材７を取り付けることができる。
【００４１】
本形態では、固定部材７が径方向に弾性変形可能な腕部７０２を備えており、第１係止部７１は腕部７０２の先端に形成されている。従って、第１係止部７１がローレット部４９の溝部に嵌合していても、フォーカスリング４に対して固定部材７を周方向に相対回転させようとする力が大きければ、腕部７０２が弾性変形して、第１係止部７１がローレット部４９の凸部を乗り越えるばね構造を備えている。従って、フォーカスリング４に大きな回転トルクを加えることにより、固定部材７を取り付けたままでフォーカスリング４を強制的に回転させて、フォーカス調整を行うことができる。
【００４２】
本形態では、腕部７０２が第２係止部７２から周方向の両側へ延びており、各腕部７０２に第１係止部７１が形成される。従って、固定部材７は、周方向の中央でズームリング３と係合し、周方向の両端部分によってフォーカスリング４と係合するので、固定部材７をバランスの良い姿勢で取り付けることができる。よって、固定部材７を外れにくくすることができる。
【００４３】
本形態では、第２係合部である手動操作用の凸部３１は、ズームリング３において径方向で反対側の２箇所に形成されている。従って、固定部材７を径方向で反対側の２箇所に取り付けることができ、複数の固定部材７をバランス良く取り付けることができる。
【００４４】
本形態では、固定部材７がフォーカスリング４の光軸方向後側Ｌ２の端部と係合する脱落防止部７４を備えている。従って、固定部材７の脱落を抑制することができる。なお、脱落防止構造は、ズームリング３と固定部材７との間に設けられていてもよい。例えば、固定部材７の腕部７０２を光軸方向後側Ｌ２へ延ばして、ズームリング３の光軸方向後側Ｌ２の端部と係合するように構成してもよい。
【符号の説明】
【００４５】
１…投写レンズ、２…レンズ鏡筒、３…ズームリング、４…フォーカスリング、５…レンズ群、６…フランジ、７…固定部材、２１…前側筒、２２…ねじ山部、２３…ねじ溝部、２４…固定筒、２５…カム筒、２６…筒状部材、３１…凸部、３２、３３…側板部、３４…上板部、３５…端板部、３６…凹部、３９…ローレット部、４９…ローレット部、５１…第１レンズ群、５２…第２レンズ群、５３…第３レンズ群、５４…第４レンズ群、５５…第５レンズ群、５６…第６レンズ群、５７…第７レンズ群、６１…第１レンズ枠、６２…第２レンズ枠、６３…第３レンズ枠、６４…第４レンズ枠、６５…第５レンズ枠、６６…第６レンズ枠、６７…第７レンズ枠、７０…板状部、７１…第１係止部、７２…第２係止部、７３…把持板部、７４…脱落防止部、１００…プロジェクター、１０１…外装筐体、１０２…前面部、１０３…投写用開口部、２４１…大径筒部、２４２…小径筒部、２４３…直進溝、２４４…第１貫通部、２４５…第２貫通部、２５１〜２５５…カム溝、６２１、６３１、６４１、６５１、６６１…カムピン、７０１…中央部、７０２…腕部、７０３…切欠き、７２１…面取り部、Ｌ…光軸方向、Ｌ１…光軸方向前側、Ｌ２…光軸方向後側。
【図１】
2019132940.tif 000003
【図２】
2019132940.tif 000004
【図３】
2019132940.tif 000005
【図４】
2019132940.tif 000006
【図５】
2019132940.tif 000007
【図６】
2019132940.tif 000008
【図７】
2019132940.tif 000009
【図８】
2019132940.tif 000010
【図９】
2019132940.tif 000011
【図１０】
2019132940.tif 000012